(57)【要約】【課題】所望の操作スイッチの位置を容易に認識することができ、作業車両や作業機の誤操作を防止することができる操作パネルを提供する。【解決手段】表示部１５ｃ・１６ｃ・１７ｃ・１８ｃの各々は、パネル本体３１の短手方向に延びるように帯状に形成され、隣り合う表示部同士が接するように配置されている。操作スイッチ１５ａ・１７ａの各々は、表示部１５ｃ・１７ｃの各々の進行方向前方を向いて左手側の端部に配置され、操作スイッチ１６ａ・１８ａの各々は、表示部１６ｃ・１８ｃの各々の右手側の端部に配置されている。即ち、操作スイッチ１５ａ・１６ａ・１７ａ・１８ａは、操作パネル１０のパネル本体１１上に千鳥状に配置されていることとなる。  したがって、隣り合う操作スイッチ同士の間隔が拡大するため、運転作業者がトラクタや作業機の操作を行う場合に誤操作を防止することができる。【選択図】図３
2008173042.tif 000002
【特許請求の範囲】
【請求項１】
パネル本体と、
前記パネル本体上に配置される複数の表示部と、
前記表示部の各々と組をなして配置される操作スイッチとを備えた、作業車両の運転操作部に設けられる操作パネルにおいて、
前記操作スイッチの各々は、前記パネル本体上に千鳥状に配置されたことを特徴とする操作パネル。
【請求項２】
前記表示部の各々は、平面視が帯状に形成され、その隣り合う長辺同士が接するように並べて配置され、前記表示部の各々の端部の各々は、凸部と凹部とが交互に現れるように配置され、
前記操作スイッチの各々は、前記凸部の側に配置された、請求項１記載の操作パネル。
【発明の詳細な説明】
【技術分野】
【０００１】
この発明は操作パネルに関し、特に、農業機械や建設車両等の作業車両の運転操作部に配置して、作業に伴う作業車両の走行制御モードの設定や作業機の作動の設定・操作等を行う操作パネルに関するものである。
【背景技術】
【０００２】
従来から押しボタン式の操作スイッチを複数並設した技術は公知となっている。例えば、特許文献１に開示されており、図６は従来の操作パネルの蓋体を開けた状態の概略構成を示した平面図である。
【０００３】
図６を参照して、上記の操作パネル６０は、その長手方向を進行方向に合わせてほぼ矩形形状に形成されたパネル本体６１と、パネル本体のほぼ中央部分を覆うように開閉自在な蓋体６２とから構成されている。蓋体６２を閉じた状態で進行方向前方の露出する部分に、耕深設定ダイヤル６３が配置され、進行方向後方の露出する部分に、標準感度の自動耕深制御及び標準のローリング制御を一括してＯＮ・ＯＦＦする操作スイッチ６８ａや手動ローリングスイッチ７０が配置されている。操作スイッチ６８ａは、押しボタン式でランプ６８ｂとセットで表示部６８ｃ上に配置されている。蓋体６２に覆われる部分には、作業機の動作を制御する各種スイッチ類が配置されている。進行方向前方部分には、押しボタン式の操作スイッチ６４ａが、表示部６４ｃ上に複数のランプ６４ｂとセットで配置されている。操作スイッチ６５ａ〜６７ａも操作スイッチ６４ａと同様に構成されている。進行方向後方部分には、ローリング角度設定ダイヤル６９等が配置されている。
【０００４】
運転作業者は、上記のように構成される操作パネル６０の各操作スイッチ類を操作して、トラクタの走行制御モードの設定やトラクタに昇降自在に連結された作業機の作動の設定・操作等を行う。
【特許文献１】特許第３４４３３６９号公報
【発明の開示】
【発明が解決しようとする課題】
【０００５】
しかしながら、上記のような従来の操作パネル６０においては、押しボタン式の操作スイッチ６４ａ〜６７ａが、パネル本体６２の運転席側の長辺に沿って、近接させて一列に整列されているため、運転作業者は隣り合う２つの操作スイッチを同時に押したり、所望の操作スイッチの隣のスイッチを押したりして、トラクタや作業機の誤操作を招く虞がある。
【０００６】
この発明は、上記のような課題を解決するためになされたもので、所望の操作スイッチの位置を容易に認識することができ、作業車両や作業機の誤操作を防止することができる操作パネルを提供することを目的とする。
【課題を解決するための手段】
【０００７】
上記の目的を達成するために、請求項１記載の発明は、パネル本体と、パネル本体上に配置される複数の表示部と、表示部の各々と組をなして配置される操作スイッチとを備えた、作業車両の運転操作部に設けられる操作パネルにおいて、操作スイッチの各々は、パネル本体上に千鳥状に配置されたことを特徴とするものである。
【０００８】
このように構成すると、パネル本体の一方側に配置された操作スイッチとその隣りのパネル本体の他方側に配置された操作スイッチとの間隔が拡大する。又、パネル本体の一方側に配置された操作スイッチの各々は、パネル本体の他方側に配置された操作スイッチ１つ分だけ飛ばした状態で配置され、パネル本体の同一側において隣り合う操作スイッチ同士の間隔も拡大する。
【０００９】
請求項２記載の発明は、請求項１記載の発明の構成において、表示部の各々は、平面視が帯状に形成され、その隣り合う長辺同士が接するように並べて配置され、表示部の各々の端部の各々は、凸部と凹部とが交互に現れるように配置され、操作スイッチの各々は、凸部の側に配置されたものである。
【００１０】
このように構成すると、隣接する表示部の端縁に対して、操作スイッチが突出した状態となる。
【発明の効果】
【００１１】
以上説明したように、請求項１記載の発明は、パネル本体の一方側に配置された操作スイッチとその隣りのパネル本体の他方側に配置された操作スイッチとの間隔が拡大する。又、パネル本体の一方側に配置された操作スイッチの各々は、パネル本体の他方側に配置された操作スイッチ１つ分だけ飛ばした状態で配置され、パネル本体の同一側において隣り合う操作スイッチ同士の間隔も拡大する。そのため、隣り合う２つの操作スイッチを同時に押したり、所望の操作スイッチの隣のスイッチを押したりといった、誤操作を防止することができる。
【００１２】
請求項２記載の発明は、請求項１記載の発明の効果に加えて、隣接する表示部の端縁に対して、操作スイッチが突出した状態となるため、視覚的に所望の操作スイッチを判断し易くなり、更に誤操作を防止することができる。
【発明を実施するための最良の形態】
【００１３】
次に、発明の実施の形態について図を用いて説明する。
【００１４】
図１はこの発明の第１の実施の形態による操作パネルが設けられたトラクタの側面図であり、図２は図１で示した運転操作部の後部を示した平面図であり、図３は図２で示した操作パネルの蓋体を開けた状態の概略構成を示した平面図である。
【００１５】
図１を参照して、トラクタ４０は、ボンネット４１の後方にキャビン４２を備えている。キャビン４２は、上面が平面視においてほぼ矩形形状を有するルーフ４７で覆われ、前面にフロントガラス４８、左右両側面にサイドガラス４３及びリアサイドガラス４４、後面にリアガラス４９を備えている。このキャビン４２内に運転操作部５０が構成されている。運転操作部５０には、前部にダッシュボード４５及びステアリングハンドル４６等が配置され、後部に運転作業者が着座する座席５１等が配置されている。
【００１６】
次に、図２を参照して、上記運転操作部５０の後部には、座席５１を中心にして、座席の前方下方にステップ５４が、進行方向前方に向いて右手側の座席５１とフェンダ５５との間に操作手段配置部５２が、左手側の座席５１とフェンダ５５との間に操作手段配置部５３が配置されている。操作手段配置部５２・５３には、トラクタ４０各部の装置を操作するための操作レバーや操作スイッチ等の操作手段が備えられている。
【００１７】
操作手段配置部５２には、例えば主変速レバー５７やトラクタ４０に昇降自在に連結される作業機を昇降動させるための作業機昇降レバー５６が上方に突出するように配置され、操作手段配置部５２の後部に一部を蓋体で覆われた操作パネル１０が配置されている。この操作パネル１０の詳細については後述する。尚、この操作パネル１０の配置はこの位置に限定されるものではなく、操作手段配置部５３やステアリングハンドル４６近傍等であってもよい。又、上記の操作手段配置部５３には、副変速レバー５８やＰＴＯ変速レバー５９が上方に突出するように配置されている。
【００１８】
次に図３を参照して、上述した操作パネル１０の詳細について説明する。この操作パネル１０は、その長手方向を進行方向に合わせてほぼ矩形形状に形成されたパネル本体３１と、パネル本体３１のほぼ中央部分を覆うように開閉自在な蓋体３２とから構成されている。蓋体３２を閉じた状態で進行方向前方の露出する部分に、トラクタ４０に昇降自在に連結される作業機の耕深を設定する耕深設定ダイヤル１３が配置され、進行方向後方の露出する部分に、旋回時の速度を所定の低速又は所定の高速のいずれかで旋回させるかの選択を行う操作スイッチ１９ａ、ステアリングハンドル４６を設定角度以上回動すると作業機が自動的に上昇するようにするか否かを選択する操作スイッチ２３ａ、変速レバーを後進位置に変速操作すると作業機を自動的に上昇させるか否かを設定する操作スイッチ２４ａ、作業機の傾斜を所望の角度に手動で設定する手動レバー２０が配置されている。操作スイッチ１９ａは、押しボタン式でランプ１９ｂとセットで表示部１９ｃ上に配置されている。操作スイッチ２３ａ・２４ａも、操作スイッチ２３ａと同様に構成されている。
【００１９】
蓋体３２に覆われる部分の前部には、左右、高低、上下、大小、又は増減等相反する操作をするための操作スイッチが左右両側に配置され、その間に設定位置を示すランプが配置されている。即ち、押しボタン式の作業機の左右傾斜角度を設定する操作スイッチ１４ａ・１４ｄ、作業機が上昇した時の最上昇高さを設定する操作スイッチ２１ａ・２１ｄ、作業機を下降させた時に下降速度を減少させて接地時のショックを緩和させるためのその減速を開始させる高さを設定する操作スイッチ２２ａ・２２ｄがパネル本体３１の短手方向に対向して両側に配置され、その間に複数のランプ１４ｂ・２１ｂ・２２ｂが各々セットで配置されている。この複数のランプ１４ｂ・２１ｂ・２２ｂは、操作スイッチ１４ａ・２１ａ・２２ａと操作スイッチ１４ｄ・２１ｄ・２２ｄとの間で所定間隔をあけて一列に配置されている。尚、操作スイッチ類とセットで配置されたランプは、操作スイッチでＯＮ操作された場合や、操作スイッチで選択・設定されたモード等を示す位置で点灯するものとなっている。
【００２０】
蓋体１２に覆われる部分の後部には、単一の操作スイッチの操作でＯＮ・ＯＦＦ又は複数の設定位置を循環して設定するための操作スイッチが、表示部の各々と組をなして、パネル本体３１上に千鳥状に交互に配置されている。設定位置を示すランプが、操作スイッチの側方に配置されている。
【００２１】
表示部１５ｃ・１６ｃ・１７ｃ・１８ｃの各々は、パネル本体３１の短手方向に延びるように帯状に形成され、隣り合う表示部同士が接するように配置されている。具体的には、表示部１５ｃの進行方向後方側の長辺と表示部１６ｃの前方側の長辺が接するように配置されている。表示部１６ｃと表示部１７ｃ、表示部１７ｃと表示部１８ｃも同様である。又、表示部１５ｃ・１６ｃ・１７ｃ・１８ｃの各々の両端部は整列して配置されている。
【００２２】
操作スイッチ１５ａは、押しボタン式で円形形状を有し、表示部１５ｃ上の一方端部に配置され、複数のランプ１５ｂは、他方端部側に延びるように配置され、この操作スイッチ１５ａとランプ１５ｂがセットで配置されている。ランプ１５ｂは、操作スイッチ１５ａよりも小径の円形形状を有し、表示部１５ｃの長手方向に沿って一列に整列して配置されている。又、ランプ１５ｂは、操作スイッチ１５ａの操作に連動して点灯する。表示部１５ｃは、パネル本体３１部分と色分けされた部分であって、操作スイッチ１５ａとランプ１５ｂとが関係することを示す役割を果たしている。操作スイッチ１６ａ・１７ａ・１８ａ及びランプ１６ｂ・１７ｂ・１８ｂも、操作スイッチ１５ａ及びランプ１５ｂと同様に構成されている。操作スイッチ１５ａ・１７ａの各々は、表示部１５ｃ・１７ｃの各々の進行方向前方を向いて左手側の端部に配置され、操作スイッチ１６ａ・１８ａの各々は、表示部１６ｃ・１８ｃの各々の進行方向前方を向いて右手側の端部に配置されている。即ち、操作スイッチ１５ａ・１６ａ・１７ａ・１８ａは、操作パネル１０のパネル本体３１上に、千鳥状に配置されていることとなる。尚、操作スイッチ及びランプの形状・大きさやランプの数は限定されるものではない。
【００２３】
ところで、操作スイッチ１５ａは耕深制御モード、即ち、耕深制御を行いながら作業するときの、感度やエンジン負荷制御を選択するスイッチであり、操作スイッチ１６ａはトルク選択モード、即ち、高速または中低速でエンジンの最大トルクが得られるように選択するスイッチであり、操作スイッチ１７ａはローリング制御モード、即ち、作業機を対地水平制御させるのか、対機平行とさせるのかを選択するスイッチであり、操作スイッチ１８ａは３点リンク機構の仕様に応じて制御基準値を補正するスイッチである。
【００２４】
操作スイッチ１５ａ・１６ａ・１７ａ・１８ａの各々を上述のように配置することにより、例えば、パネル本体３１の一方側に配置された操作スイッチ１５ａとその隣りのパネル本体３１の他方側に配置された操作スイッチ１６ａとの間隔が拡大する。又、パネル本体３１の一方側に配置された操作スイッチ１５ａ及び操作スイッチ１７ａは、パネル本体３１の他方側に配置された操作スイッチ１６ａ１つ分だけ飛ばした状態で配置され、パネル本体３１の同一側において隣り合う操作スイッチ１５ａと操作スイッチ１７ａとの間隔も拡大する。したがって、運転作業者がトラクタ４０や作業機の操作を行う場合に、誤操作を防止することができる。例えば、従来例である図６を参照して、操作スイッチ６５ａを押したいところ、誤って隣の操作スイッチ６４ａや操作スイッチ６６ａを押してしまったり、操作スイッチ６５ａと操作スイッチ６６ａを同時に押してしまったりといった誤操作である。
【００２５】
図４はこの発明の第２の実施の形態による操作パネルの概略構成を示した平面図であって、第１の実施の形態による図３に対応した図である。
【００２６】
図４を参照して、基本的な構成は第１の実施の形態と共通するので、異なる点を中心に説明する。第１の実施の形態では、表示部１５ｃ・１６ｃ・１７ｃ・１８ｃの各々の両端部は整列して配置されているが、操作パネル３０は、表示部１５ｃ・１６ｃ・１７ｃ・１８ｃの各々の両端部は、凸部と凹部が交互に現れるように配置されている点が異なっている。具体的には、表示部１５ｃと表示部１７ｃとが進行方向前方を向いて左手側に凸部を形成し、表示部１６ｃと表示部１８ｃとが進行方向前方を向いて右手側の凸部を形成している。また、凸部と凹部の各々は、進行方向に合わせて整列して配置されている。操作スイッチ１５ａ・１６ａ・１７ａ・１８ａの各々が、上記凸部の各々に配置され、パネル本体３１上に千鳥状に配置されている。又、隣り合う操作スイッチ１５ａ・１６ａ・１７ａ・１８ａの各々の距離は第１の実施の形態と同一である。
【００２７】
上記のように構成される操作パネル３０は、前後方向に隣接する表示部１５ｃ・１６ｃ・１７ｃ・１８ｃの端縁に対して操作スイッチ１５ａ・１６ａ・１７ａ・１８ａが突出した状態となる。操作スイッチ１５ａが、隣接する表示部１６ｃの進行方向左手側の短辺より外方に突出した状態となる。次に配置されている操作スイッチ１６ａは、隣接する表示部１５ｃ及び１７ｃの各々の進行方向右手側の短辺より外方に突出した状態となる。操作スイッチ１７ａ・１８ａも同様に突出した状態となる。したがって、所望の操作スイッチを視覚的に判断することができるため、より誤操作を防止することができる。
【００２８】
図５はこの発明の第３の実施の形態による操作パネルの概略構成を示した平面図であって、第２の実施の形態による図４に対応した図である。
【００２９】
図５を参照して、基本的な構成は第２の実施の形態と共通するので、異なる点を中心に説明する。第２の実施の形態では、表示部１５ｃ・１６ｃ・１７ｃ・１８ｃの各々が帯状に形成されていたが、第３の実施の形態である操作パネル３５は、表示部１５ｃ・１６ｃ・１７ｃ・１８ｃの各々が平面視においてほぼＬ字状に形成されている。表示部１５ｃ・１６ｃ・１７ｃ・１８ｃの各々は、前後方向の矩形形状を有する縦部１５ｅ・１６ｅ・１７ｅ・１８ｅと、その縦部１５ｅ・１６ｅ・１７ｅ・１８ｅの前後方向の一方の辺（図４に示す二点鎖線の位置）から左右外方向に接続される矩形形状を有する横部１５ｆ・１６ｆ・１７ｆ・１８ｆとから構成されている。縦部１５ｅ・１６ｅ・１７ｅ・１８ｅは、左右中央に２列前後方向に隣接して並べて配置され、横部１５ｆ・１６ｆ・１７ｆ・１８ｆは、横部１５ｆと横部１６ｆとが、横部１７ｆと横部１８ｆとが各々パネル本体３１の長手方向の中心軸に対して対角方向に配置されている。操作スイッチ１５ａ・１６ａ・１７ａ・１８ａの各々は、横部１５ｆ・１６ｆ・１７ｆ・１８ｆの各々の上に配置され、ランプ１５ｂ〜１８ｂの各々は、縦部１５ｅ・１６ｅ・１７ｅ・１８ｅの各々の上に前後方向に所定の間隔をあけて配置されている。したがって、操作スイッチ１５ａ・１６ａ・１７ａ・１８ａの各々は、所定の距離をあけて千鳥状に配置されることとなる。
【００３０】
上記のように構成される操作パネル３５は、例えば、操作スイッチ１５ａとその操作スイッチの操作により点灯又は消灯するランプ１５ｂとの距離が短くなるため、操作スイッチ１６ａ・１７ａではなく所望の操作スイッチ１５ａを押したか否かをランプ１５ｂによって確認し易くなる。又、操作スイッチ１５ａ・１６ａ・１７ａ・１８ａの各々が左右外方向に縦部１５ｅ・１６ｅ・１７ｅ・１８ｅの各々の外方側の長辺より突出した状態となるため、視覚的に所望の操作スイッチを判断し易くなる。したがって、より誤操作を防止することができる。
【００３１】
尚、上記の各実施の形態では、表示部は帯状又はＬ字状に形成されているが、操作スイッチとその操作スイッチの操作に伴って点灯するランプとの関係を判断することができれば、他の形状であってもよい。
【００３２】
又、上記の各実施の形態では、表示部、スイッチ、及びパネル本体の各々が色分けされて配置されることで容易に認識することができるように構成されているが、表示部がその外周に沿った囲み線であってもよい。
【００３３】
更に、上記の各実施の形態では、ランプは表示部の長手方向に沿って一列に配置されているが、操作スイッチとその操作スイッチの操作に伴って点灯するランプとの関係を判断することができれば、他の配置であってもよい。
【００３４】
更に、上記の各実施の形態では、操作スイッチは表示部上に配置されているが、表示部から一部がはみ出した状態や、表示部に近接した状態に配置されてもよい。
【００３５】
更に、上記の各実施の形態では、操作スイッチは押しボタン形式で構成されているが、スライド形式等他の形式のスイッチであってもよい。又、操作スイッチを操作したときに、操作したか否かが容易に判断することができるように、操作スイッチを押したと同時に音を発するように構成してもよい。
【図面の簡単な説明】
【００３６】
【図１】この発明の第１の実施の形態による操作パネルが設けられたトラクタの側面図である。
【図２】図１で示した運転操作部の後部を示した平面図である。
【図３】図２で示した操作パネルの蓋体を開けた状態の概略構成を示した平面図である。
【図４】この発明の第２の実施の形態による操作パネルの概略構成を示した平面図である。
【図５】この発明の第３の実施の形態による操作パネルの概略構成を示した平面図である。
【図６】従来の操作パネルの蓋体を開けた状態の概略構成を示した平面図である。
【符号の説明】
【００３７】
１０，３０，３５    操作パネル
１５ａ，１６ａ，１７ａ，１８ａ    操作スイッチ
１５ｃ，１６ｃ，１７ｃ，１８ｃ    表示部
３１    パネル本体
５０    運転操作部
【図１】
2008173042.tif 000003
【図２】
2008173042.tif 000004
【図３】
2008173042.tif 000005
【図４】
2008173042.tif 000006
【図５】
2008173042.tif 000007
【図６】
2008173042.tif 000008